(57)【要約】【課題】参加者が使用する端末装置の環境を変えることなく、端末装置に情報を提供する。【解決手段】複数の参加者のそれぞれが使用する複数の端末装置（参加者端末、開催者端末）とデータ通信可能に接続され、複数の端末装置に対して医用画像を含む医療情報を提供する会議管理サーバーは、複数の端末装置に共通する共有画面を表示させるための共有作業用領域、及び、複数の参加者ごとに設けられた、当該参加者が使用する端末装置に個人作業用画面を表示させるための個人作業用領域を有する記憶手段を備え、複数の参加者のそれぞれが使用する端末装置からの操作指示に応じて、当該端末装置に係る参加者の個人作業用領域を用いて、当該端末装置に対して、予め設定されているアプリケーションプログラムを利用した医療情報の処理結果を提供する。【選択図】図１０
2020009164.tif 000002
【特許請求の範囲】
【請求項１】
複数の参加者のそれぞれが使用する複数の端末装置とデータ通信可能に接続され、前記複数の端末装置に対して医用画像を含む医療情報を提供する情報処理サーバーであって、
前記複数の端末装置に共通する共有画面を表示させるための共有作業用領域、及び、前記複数の参加者ごとに設けられた、当該参加者が使用する端末装置に個人作業用画面を表示させるための個人作業用領域を有する記憶手段と、
前記複数の参加者のそれぞれが使用する端末装置からの操作指示に応じて、当該端末装置に係る参加者の個人作業用領域を用いて、当該端末装置に対して、予め設定されているアプリケーションプログラムを利用した前記医療情報の処理結果を提供する制御手段と、
を備える情報処理サーバー。
【請求項２】
前記アプリケーションプログラムの処理対象とされる医療情報は医用画像であり、
前記アプリケーションプログラムは、前記医用画像に対する表示処理、画像調整処理、計測処理、又は、アノテーションの付加処理を実行させるためのプログラムである請求項１に記載の情報処理サーバー。
【請求項３】
前記複数の参加者のうち、所定の参加者が使用する端末装置に表示されている個人作業用画面を、前記複数の端末装置に共通する共有画面に表示させる共有手段を備える請求項１又は２に記載の情報処理サーバー。
【請求項４】
前記個人作業用領域に公開期間を設定する設定手段を備え、
前記制御手段は、前記設定された公開期間内である場合に、前記個人作業用領域を利用可能である請求項１から３のいずれか一項に記載の情報処理サーバー。
【請求項５】
複数の参加者のそれぞれが使用する複数の端末装置とデータ通信可能に接続され、前記複数の端末装置に対して医用画像を含む医療情報を提供する情報処理サーバーを制御するコンピューターを、
前記複数の端末装置に共通する共有画面を表示させるための共有作業用領域、及び、前記複数の参加者ごとの、当該参加者が使用する端末装置に個人作業用画面を表示させるための個人作業用領域を記憶手段に設ける手段、
前記複数の参加者のそれぞれが使用する端末装置からの操作指示に応じて、当該端末装置に係る参加者の個人作業用領域を用いて、当該端末装置に対して、予め設定されているアプリケーションプログラムを利用した前記医療情報の処理結果を提供する手段、
として機能させるためのプログラム。
【発明の詳細な説明】
【技術分野】
【０００１】
本発明は、情報処理サーバー及びプログラムに関する。
【背景技術】
【０００２】
近年、会議や教育等を目的として、複数の端末装置に共通する共有画面を提供するウェブ会議システムが利用されている。会議の参加者は、各端末装置において、共有画面に表示される資料を参照しつつ、発表者の説明を受けたり、意見を交換したりすることができる。
【０００３】
また、複数の端末装置をネットワークで接続し、利用者が各端末装置に表示される共通の資料を参照しながら共同作業を行う電子対話システムにおいて、共同作業の場と個人作業の場を合わせて表示する技術が提案されている（特許文献１参照）。
【先行技術文献】
【特許文献】
【０００４】
【特許文献１】特開２００２−０５１３１７号公報
【発明の概要】
【発明が解決しようとする課題】
【０００５】
ところで、会議や教育等で使用される資料や教材は、通常、当日又は事前に配布される。オンライン上で会議が行われる場合には、事前に参加者が資料のデータをダウンロードして、準備しておくことが多い。
しかしながら、資料として医用画像を用いる場合、データ量が大きく、資料の数によっては膨大なサイズとなってしまうため、データ通信における負荷や、データを保存する記憶装置の確保等、参加者の環境を圧迫するという問題があった。また、資料として医用画像等の医療情報を扱う場合、参加者が使用する端末装置側で、医療情報を処理するためのアプリケーションプログラムを準備しておく必要があることもある。また、医療情報を取り扱うことから、通常の会議や教育等に比べ、特に個人情報等の機密確保に注意を払う必要もある。
【０００６】
本発明は、上記の従来技術における問題に鑑みてなされたものであって、参加者が使用する端末装置の環境を変えることなく、端末装置に情報を提供することを課題とする。
【課題を解決するための手段】
【０００７】
上記課題を解決するために、請求項１に記載の発明は、複数の参加者のそれぞれが使用する複数の端末装置とデータ通信可能に接続され、前記複数の端末装置に対して医用画像を含む医療情報を提供する情報処理サーバーであって、前記複数の端末装置に共通する共有画面を表示させるための共有作業用領域、及び、前記複数の参加者ごとに設けられた、当該参加者が使用する端末装置に個人作業用画面を表示させるための個人作業用領域を有する記憶手段と、前記複数の参加者のそれぞれが使用する端末装置からの操作指示に応じて、当該端末装置に係る参加者の個人作業用領域を用いて、当該端末装置に対して、予め設定されているアプリケーションプログラムを利用した前記医療情報の処理結果を提供する制御手段と、を備える。
【０００８】
請求項２に記載の発明は、請求項１に記載の情報処理サーバーにおいて、前記アプリケーションプログラムの処理対象とされる医療情報は医用画像であり、前記アプリケーションプログラムは、前記医用画像に対する表示処理、画像調整処理、計測処理、又は、アノテーションの付加処理を実行させるためのプログラムである。
【０００９】
請求項３に記載の発明は、請求項１又は２に記載の情報処理サーバーにおいて、前記複数の参加者のうち、所定の参加者が使用する端末装置に表示されている個人作業用画面を、前記複数の端末装置に共通する共有画面に表示させる共有手段を備える。
【００１０】
請求項４に記載の発明は、請求項１から３のいずれか一項に記載の情報処理サーバーにおいて、前記個人作業用領域に公開期間を設定する設定手段を備え、前記制御手段は、前記設定された公開期間内である場合に、前記個人作業用領域を利用可能である。
【００１１】
請求項５に記載の発明は、複数の参加者のそれぞれが使用する複数の端末装置とデータ通信可能に接続され、前記複数の端末装置に対して医用画像を含む医療情報を提供する情報処理サーバーを制御するコンピューターを、前記複数の端末装置に共通する共有画面を表示させるための共有作業用領域、及び、前記複数の参加者ごとの、当該参加者が使用する端末装置に個人作業用画面を表示させるための個人作業用領域を記憶手段に設ける手段、前記複数の参加者のそれぞれが使用する端末装置からの操作指示に応じて、当該端末装置に係る参加者の個人作業用領域を用いて、当該端末装置に対して、予め設定されているアプリケーションプログラムを利用した前記医療情報の処理結果を提供する手段、として機能させるためのプログラムである。
【発明の効果】
【００１２】
本発明によれば、参加者が使用する端末装置の環境を変えることなく、端末装置に情報を提供することができる。
【図面の簡単な説明】
【００１３】
【図１】会議システムのシステム構成図である。
【図２】会議管理サーバーの機能的構成を示すブロック図である。
【図３】開催者管理テーブルのデータ構成例である。
【図４】会議管理テーブルのデータ構成例である。
【図５】開催者端末、参加者端末の機能的構成を示すブロック図である。
【図６】開催者登録処理を示すラダーチャートである。
【図７】会議設定処理を示すラダーチャートである。
【図８】開催者端末に表示される開催者用画面の例である。
【図９】開催者端末に表示される会議設定画面の例である。
【図１０】会議実施処理を示すラダーチャートである。
【図１１】開催者端末に表示される会議画面の例である。
【図１２】参加者端末に表示される会議控え画面の例である。
【図１３】参加者端末に表示される会議画面の例である。
【図１４】参加者端末に表示される個人作業用画面の例である。
【図１５】会議管理サーバーにおいて実行される主導権変更処理を示すフローチャートである。
【図１６】会議終了後処理（公開期間内）を示すラダーチャートである。
【図１７】会議終了後処理（公開期間外）を示すラダーチャートである。
【発明を実施するための形態】
【００１４】
以下、図面を参照して、本発明に係る情報処理サーバーの一実施形態について説明する。ただし、発明の範囲は、図示例に限定されない。
【００１５】
〔会議システムの構成〕
図１に、会議システム１００のシステム構成を示す。
図１に示すように、会議システム１００は、情報処理サーバーとしての会議管理サーバー１０と、会議の開催者が使用する開催者端末２０と、会議の複数の参加者のそれぞれが使用する複数の参加者端末３０と、を備えて構成されている。会議管理サーバー１０、開催者端末２０、参加者端末３０は、通信ネットワークＮを介してデータ通信可能に接続されている。なお、開催者端末２０、参加者端末３０の台数は、特に限定されない。
【００１６】
会議システム１００は、複数の利用者（開催者、参加者）が、少なくとも共有画面を閲覧しながら、議題について話し合ったり、意見を交換したり、勉強会や講習会等で発表者の発表を聞いたりする等、会議や教育等を目的として利用される。
【００１７】
会議管理サーバー１０は、開催者端末２０から登録される会議に関する情報を管理し、開催者端末２０及び参加者端末３０に対して医用画像を含む医療情報等を提供する。また、医療情報には、診療情報、傷病情報、処方情報、検査結果データ等が含まれる。
開催者端末２０は、会議を開催する開催者により使用されるＰＣ（Personal Computer）、タブレット端末、スマートフォン等のコンピューター装置である。
参加者端末３０は、会議の参加者により使用されるＰＣ、タブレット端末、スマートフォン等のコンピューター装置である。
【００１８】
なお、上記会議管理サーバー１０は、医療用の画像管理装置であるＰＡＣＳ（Picture Archiving and Communication Systems）に１機能として搭載されていてもよく、この場合のＰＡＣＳはクラウドで配信可能なクラウドＰＡＣＳであってもよい。
【００１９】
〔会議管理サーバーの構成〕
図２に、会議管理サーバー１０の機能的構成を示す。会議管理サーバー１０は、制御部１１、通信部１２、計時部１３、ＲＡＭ（Random Access Memory）１４、記憶部１５等を備えて構成されており、各部はバス１６により接続されている。
【００２０】
制御部１１は、ＣＰＵ（Central Processing Unit）等から構成され、会議管理サーバー１０の各部の処理動作を統括的に制御する。具体的には、ＣＰＵは、記憶部１５に記憶されている各種処理プログラムを読み出してＲＡＭ１４に展開し、当該プログラムとの協働により各種処理を行う。
【００２１】
通信部１２は、ネットワークインターフェース等により構成され、ＬＡＮ（Local Area Network）、ＷＡＮ（Wide Area Network）、インターネット等の通信ネットワークＮを介して接続された外部機器との間でデータの送受信を行う。
【００２２】
計時部１３は、計時回路（ＲＴＣ：Real Time Clock）を有し、この計時回路により現在日時を計時して制御部１１に出力する。
【００２３】
ＲＡＭ１４は、制御部１１により実行制御される各種処理において、記憶部１５から読み出された各種プログラム、入力若しくは出力データ及びパラメーター等を一時的に記憶するワークエリアを形成する記憶手段である。
例えば、ＲＡＭ１４には、開催される会議ごとに、会議作業用領域１４１が設けられる。会議作業用領域１４１には、共有作業用領域１４２と、複数の参加者ごとに設けられた個人作業用領域１４３と、が含まれる。共有作業用領域１４２は、複数の端末装置（開催者端末２０、参加者端末３０）に共通する共有画面を表示させるための作業領域である。個人作業用領域１４３は、参加者が使用する参加者端末３０（又は開催者端末２０）に個人作業用画面を表示させるための作業領域である。
【００２４】
記憶部１５は、ＨＤＤ（Hard Disk Drive）や不揮発性の半導体メモリー等により構成され、各種処理プログラム、当該プログラムの実行に必要なパラメーターやファイル等を記憶している。例えば、記憶部１５には、開催者端末２０や参加者端末３０に搭載されたＷｅｂブラウザーとＨＴＴＰプロトコルによる通信を行ってＷｅｂブラウザーに各種Ｗｅｂ画面を提供するＷｅｂサーバーとしての機能を実現させるためのＷｅｂサーバープログラムや、Ｗｅｂサーバー上で動作し、Ｗｅｂブラウザーを介して開催者端末２０や参加者端末３０に医療情報等を提供するためのＷｅｂアプリケーションプログラム等が記憶されている。アプリケーションプログラムは、例えば、医用画像に対する表示処理、画像調整処理（濃度調整、拡大・縮小等）、計測処理、アノテーションの付加処理等を実行させるためのプログラムである。計測処理とは、医用画像上の所定箇所の距離、角度、比率等を計測する処理である。
【００２５】
また、記憶部１５には、開催者管理テーブルＴ１、会議管理テーブルＴ２が記憶されている。
【００２６】
開催者管理テーブルＴ１は、会議システム１００において、会議を開催する開催者に関する情報を管理するためのテーブルである。図３に示すように、開催者管理テーブルＴ１には、開催者ごとに、開催者ＩＤ、パスワード等が対応付けられている。
開催者ＩＤは、開催者に付与された識別情報（ユーザーＩＤ）である。
パスワードは、開催者がシステムにログインする際のユーザー認証に用いられる。
【００２７】
会議管理テーブルＴ２は、会議システム１００において実施される会議ごとに、会議に関する情報を管理するためのテーブルである。図４に示すように、会議管理テーブルＴ２には、会議ごとに、会議ＩＤ、開催者ＩＤ、会議開催日時、参加者情報（メールアドレス、参加者ＩＤ、パスワード）、アプリケーション情報（アプリケーション名、個人情報表示有無）、資料情報（資料ファイル名、権限設定）、操作権限設定、公開期間等が対応付けられている。
会議ＩＤは、会議に付与された識別情報である。
開催者ＩＤは、会議を開催する開催者に対応するユーザーＩＤである。
会議開催日時は、会議が開催される日時である。
参加者情報は、会議の参加者に関する情報である。メールアドレスは、参加者のメールアドレスである。参加者ＩＤは、参加者に付与された識別情報（ユーザーＩＤ）である。パスワードは、参加者がシステムにログインする際のユーザー認証に用いられる。一つの会議（会議ＩＤ）に対して、複数の参加者を設定可能となっている。
アプリケーション情報は、対象会議について、使用可能なアプリケーションプログラム（以下、単にアプリケーションという場合もある。）に関する情報である。アプリケーション名は、アプリケーションの名称である。個人情報表示有無は、アプリケーション内で個人情報を表示するか否かを示す情報である。一つの会議（会議ＩＤ）に対して、複数のアプリケーションを設定可能となっている。
資料情報は、会議の資料（医療情報等）に関する情報である。資料ファイル名は、資料データのファイル名である。権限設定は、資料ファイル名に対応する資料が閲覧用（ダウンロード不可）であるか、配布用（ダウンロード可）であるかを示す情報である。一つの会議（会議ＩＤ）に対して、複数の資料を設定可能となっている。
操作権限設定は、主導権譲渡の有無等の情報である。主導権とは、共有画面に対する操作権をいう。
公開期間は、対象会議の各参加者に対応する個人作業用領域１４３を利用可能な期間である。
【００２８】
また、記憶部１５には、会議管理テーブルＴ２に登録された資料ファイル名に対応する資料データ（医用画像等の医療情報）が記憶される。
【００２９】
制御部１１は、開催者又は参加者に対応するログインアカウント（ユーザーＩＤ・パスワード）から会議管理サーバー１０にアクセスがあった場合に、記憶部１５の開催者管理テーブルＴ１及び会議管理テーブルＴ２の参加者情報を参照して、予め登録されている利用者であるか否かを判断する。制御部１１は、開催者端末２０又は参加者端末３０において入力されたユーザーＩＤ及びパスワードの組み合わせが開催者管理テーブルＴ１又は会議管理テーブルＴ２の参加者情報に登録されている場合には、この利用者が正当な利用者であると判断する。
【００３０】
制御部１１は、開催者が使用する開催者端末２０からの操作指示に応じて、設定対象の会議に対応する個人作業用領域１４３に公開期間を設定する。すなわち、制御部１１は、設定手段として機能する。
【００３１】
制御部１１は、複数の参加者のそれぞれが使用する端末装置（参加者端末３０又は開催者端末２０）からの操作指示に応じて、当該端末装置に係る参加者の個人作業用領域１４３を用いて、当該端末装置に対して、予め設定されているアプリケーションプログラムを利用した医療情報の処理結果を提供する。ただし、制御部１１は、設定された公開期間内である場合にのみ、個人作業用領域１４３を利用可能とする。
【００３２】
制御部１１は、複数の参加者のうち、所定の参加者が使用する端末装置（参加者端末３０又は開催者端末２０）に表示されている個人作業用画面を、複数の端末装置に共通する共有画面に表示させる。すなわち、制御部１１は、共有手段として機能する。
【００３３】
〔開催者端末の構成〕
図５に、開催者端末２０の機能的構成を示す。開催者端末２０は、制御部２１、操作部２２、表示部２３、通信部２４、ＲＡＭ２５、記憶部２６等を備えて構成されており、各部はバス２７により接続されている。
【００３４】
制御部２１は、ＣＰＵ等から構成され、開催者端末２０の各部の処理動作を統括的に制御する。具体的には、ＣＰＵは、記憶部２６に記憶されている各種処理プログラムを読み出してＲＡＭ２５に展開し、当該プログラムとの協働により各種処理を行う。
【００３５】
操作部２２は、カーソルキー、文字・数字入力キー及び各種機能キー等を備えたキーボードと、マウス等のポインティングデバイスを備えて構成され、キーボードに対するキー操作やマウス操作により入力された操作信号を制御部２１に出力する。また、操作部２２が、表示部２３に積層されたタッチパネルにより構成される場合には、ユーザーの指等によるタッチ操作の位置に応じた操作信号を制御部２１に出力する。
【００３６】
表示部２３は、ＬＣＤ（Liquid Crystal Display）等のモニターを備えて構成されており、制御部２１から入力される表示信号の指示に従って、各種画面を表示する。
【００３７】
通信部２４は、ネットワークインターフェース等により構成され、ＬＡＮ、ＷＡＮ、インターネット等の通信ネットワークＮを介して接続された外部機器との間でデータの送受信を行う。
【００３８】
ＲＡＭ２５は、制御部２１により実行制御される各種処理において、記憶部２６から読み出された各種プログラム、入力若しくは出力データ及びパラメーター等を一時的に記憶するワークエリアを形成する。
【００３９】
記憶部２６は、ＨＤＤや不揮発性の半導体メモリー等により構成され、各種処理プログラム、当該プログラムの実行に必要なパラメーターやファイル等を記憶している。例えば、記憶部２６には、Ｗｅｂブラウザーを実現するためのＷｅｂブラウザープログラム等が記憶されている。
【００４０】
〔参加者端末の構成〕
図５に、参加者端末３０の機能的構成を示す。参加者端末３０は、制御部３１、操作部３２、表示部３３、通信部３４、ＲＡＭ３５、記憶部３６等を備えて構成されており、各部はバス３７により接続されている。参加者端末３０の各部は、開催者端末２０の各部と同様であるため、説明を省略する。
【００４１】
〔会議システムにおける動作〕
次に、会議システム１００における動作について説明する。
【００４２】
＜開催者登録処理＞
図６は、会議システム１００において実行される開催者登録処理を示すラダーチャートである。
【００４３】
まず、開催者が開催者端末２０において、操作部２２からの操作により、Ｗｅｂブラウザー上から会議管理サーバー１０にアクセスするためのＵＲＬ（Uniform Resource Locator）を入力すると、制御部２１は、入力されたＵＲＬに基づいて、通信部２４を介して会議管理サーバー１０に新規登録を依頼する（ステップＳ１）。
【００４４】
会議管理サーバー１０では、制御部１１が、開催者端末２０に対し、通信部１２を介して登録画面を表示するための表示用データを送信する（ステップＳ２）。なお、会議管理サーバー１０のＷｅｂサーバー機能により開催者端末２０に送信される登録画面をはじめとする各種Ｗｅｂ画面の表示用データには、ＨＴＭＬ、スタイルシート、画像データ、開催者端末２０で所定の処理を実行させるためのスクリプト等が含まれる。
【００４５】
開催者端末２０では、通信部２４により登録画面の表示用データを受信すると、表示部２３に登録画面が表示される。開催者が操作部２２からの操作により、新規登録内容（開催者に関する情報）を入力すると（ステップＳ３）、制御部２１は、入力された新規登録内容を、通信部２４を介して会議管理サーバー１０に送信する。
【００４６】
会議管理サーバー１０では、制御部１１が、新規登録された開催者に対し、開催者ＩＤ（ユーザーＩＤ）とパスワードを発行する（ステップＳ４）。制御部１１は、発行された開催者ＩＤとパスワードを、入力された新規登録内容と対応付けて記憶部１５の開催者管理テーブルＴ１に格納する。
制御部１１は、発行された開催者ＩＤとパスワードを、通信部１２を介して開催者端末２０に通知する（ステップＳ５）。
以上で、開催者登録処理が終了する。
【００４７】
＜会議設定処理＞
図７は、会議システム１００において実行される会議設定処理を示すラダーチャートである。
【００４８】
まず、開催者が開催者端末２０において、操作部２２からの操作により、Ｗｅｂブラウザー上から会議管理サーバー１０にアクセスすると（ステップＳ１１）、会議管理サーバー１０では、制御部１１が、開催者端末２０に対し、通信部１２を介してログイン画面を表示するための表示用データを送信する（ステップＳ１２）。
【００４９】
開催者端末２０では、表示部２３にログイン画面が表示される。開催者が操作部２２からの操作により、ログイン画面において、ユーザーＩＤ（開催者ＩＤ）とパスワードを入力すると（ステップＳ１３）、制御部２１は、入力されたユーザーＩＤとパスワードを、通信部２４を介して会議管理サーバー１０に送信する。
【００５０】
会議管理サーバー１０では、通信部１２によりユーザーＩＤ及びパスワードを受信すると、制御部１１は、ユーザー認証を行う。具体的には、制御部１１は、記憶部１５の開催者管理テーブルＴ１から、開催者端末２０において入力されたユーザーＩＤと一致するレコードを検索し、検索されたレコードに含まれるパスワードと開催者端末２０において入力されたパスワードが一致する場合に、ユーザー認証が成功したと判断する。
制御部１１は、入力されたユーザーＩＤが開催者ＩＤである場合に、開催者端末２０に対し、通信部１２を介して開催者用画面を表示するための表示用データを送信する（ステップＳ１４）。
【００５１】
開催者端末２０では、表示部２３に開催者用画面が表示される。
図８に、表示部２３に表示される開催者用画面２３１の例を示す。開催者用画面２３１には、「ホーム」タブＴＢ１、「作成／編集」タブＴＢ２が含まれ、開催者用画面２３１は、「ホーム」タブＴＢ１が選択された状態である。開催者用画面２３１には、会議リスト表示領域２３１Ａ、会議画面ボタンＢ１、作業画面ボタンＢ２等が含まれる。
会議リスト表示領域２３１Ａには、開催者がこれまでに設定した会議のリストが表示される。
会議画面ボタンＢ１は、会議画面への遷移を指示するためのボタンである。
作業画面ボタンＢ２は、個人作業用画面への遷移を指示するためのボタンである。
「作成／編集」タブＴＢ２は、新たに会議を設定する際に選択される。
【００５２】
開催者が操作部２２からの操作により、開催者用画面において、会議設定を指示すると（ステップＳ１５）、制御部１１は、開催者端末２０に対し、通信部１２を介して会議設定画面を表示するための表示用データを送信する（ステップＳ１６）。
【００５３】
具体的には、開催者が図８に示す開催者用画面２３１において、「作成／編集」タブＴＢ２を選択すると、図９に示す会議設定画面２３２が表示部２３に表示される。会議設定画面２３２には、開催日時入力領域２３２Ａ、公開期間入力領域２３２Ｂ、招待者リスト表示領域２３２Ｃ、資料リスト表示領域２３２Ｄ、参加者招待ボタンＢ１１、アプリケーション設定ボタンＢ１２、資料登録ボタンＢ１３等が含まれる。
開催日時入力領域２３２Ａには、会議の開催日時が入力される。
公開期間入力領域２３２Ｂには、公開期間が入力される。
招待者リスト表示領域２３２Ｃには、会議に対して設定された招待者のリストが表示される。招待者とは、開催者が会議の参加者として招待した者である。招待者リストにおいて、各招待者に対し、参加の有無も表示される。
資料リスト表示領域２３２Ｄには、会議に対して設定された資料のリストが表示される。資料リストにおいて、各資料に対して指定された権限設定（ダウンロード可否）も表示される。
参加者招待ボタンＢ１１は、会議に対する参加者（招待者）を入力する画面への遷移を指示するためのボタンである。
アプリケーション設定ボタンＢ１２は、会議に対するアプリケーションを設定する画面への遷移を指示するためのボタンである。
資料登録ボタンＢ１３は、会議に対する資料を登録する画面への遷移を指示するためのボタンである。
【００５４】
開催者が操作部２２からの操作により、会議設定画面において、会議情報（会議開催日時等）を入力すると（ステップＳ１７）、制御部２１は、入力された会議情報を、通信部２４を介して会議管理サーバー１０に送信する。具体的には、開催者が図９に示す会議設定画面２３２において、開催日時入力領域２３２Ａに会議開催日時を入力する。
会議管理サーバー１０では、制御部１１が、開催者端末２０において入力された会議情報（会議開催日時等）を、会議に付与された会議ＩＤ及び開催者ＩＤと対応付けて、記憶部１５の会議管理テーブルＴ２に格納する。
【００５５】
次に、開催者が操作部２２からの操作により、会議設定画面２３２の参加者招待ボタンＢ１１を押下すると、表示部２３に参加者入力画面が表示される。開催者が操作部２２からの操作により、参加者（メールアドレス）を入力すると（ステップＳ１８）、制御部２１は、入力された参加者を、通信部２４を介して会議管理サーバー１０に送信する。
会議管理サーバー１０では、制御部１１が、開催者端末２０において入力された参加者のメールアドレスを、会議ＩＤと対応付けて、記憶部１５の会議管理テーブルＴ２に格納する。また、制御部１１は、参加者に対して、通信部１２を介して会議招待通知を送信する（ステップＳ１９）。具体的には、制御部１１は、会議管理テーブルＴ２から、参加者に対応するメールアドレスを取得し、取得されたメールアドレス宛てに会議招待通知を送信する。会議招待通知には、会議開催日時、開催者、会議目的等が記載されている。
【００５６】
参加者は参加者端末３０において、会議招待通知を受信すると、会議の内容を確認する。そして、メール内に記載されたリンクに基づいて、会議管理サーバー１０にアクセスし、操作部３２からの操作により、会議への参加を申し込む（ステップＳ２０）。
【００５７】
会議管理サーバー１０では、制御部１１が、参加を申し込んだ参加者に対し、参加者ＩＤ（ユーザーＩＤ）とパスワードを発行する（ステップＳ２１）。制御部１１は、発行された参加者ＩＤとパスワードを、会議ＩＤと対応付けて会議管理テーブルＴ２に格納する。
制御部１１は、発行された参加者ＩＤとパスワードを、通信部１２を介して参加者端末３０に通知する（ステップＳ２２）。
【００５８】
次に、開催者端末２０では、開催者が操作部２２からの操作により、会議設定画面２３２のアプリケーション設定ボタンＢ１２を押下すると、表示部２３にアプリケーション設定画面が表示される。開催者が操作部２２からの操作により、会議で使用するアプリケーションを選択すると（ステップＳ２３）、制御部２１は、選択されたアプリケーションを示す情報を、通信部２４を介して会議管理サーバー１０に送信する。
会議管理サーバー１０では、制御部１１が、開催者端末２０において選択されたアプリケーションを、会議で使用されるアプリケーションとして設定する（ステップＳ２４）。具体的には、制御部１１は、選択されたアプリケーションの名称を、会議ＩＤと対応付けて会議管理テーブルＴ２に格納する。さらに、選択されたアプリケーション内で個人情報を表示するか否かを設定してもよい。
【００５９】
次に、制御部１１は、ＲＡＭ１４に、各参加者に対応する個人作業用領域１４３を作成する（ステップＳ２５）。具体的には、制御部１１は、参加者ごとに、選択されたアプリケーションを会議中に使用するための個人作業用領域１４３を作成する。
【００６０】
次に、開催者端末２０では、開催者が操作部２２からの操作により、会議設定画面２３２の資料登録ボタンＢ１３を押下すると、表示部２３に資料登録画面が表示される。開催者が操作部２２からの操作により、会議で使用する資料を選択し、資料に対する権限設定を行う（ステップＳ２６）。制御部２１は、選択された資料及び権限設定を、通信部２４を介して会議管理サーバー１０に送信する。
会議管理サーバー１０では、制御部１１が、開催者端末２０において選択された資料を登録する（ステップＳ２７）。具体的には、制御部１１は、開催者端末２０から送信された資料を記憶部１５に記憶させるとともに、資料のファイル名及びファイルに対する権限設定（ダウンロード可否）を、会議ＩＤと対応付けて会議管理テーブルＴ２に格納する。
【００６１】
次に、開催者端末２０では、開催者が操作部２２からの操作により、会議に対する操作権限及び公開期間を設定する（ステップＳ２８）。例えば、開催者が会議設定画面２３２の公開期間入力領域２３２Ｂに公開期間を入力すると、制御部２１は、入力された公開期間を、通信部２４を介して会議管理サーバー１０に送信する。
会議管理サーバー１０では、制御部１１が、開催者端末２０において設定された操作権限及び公開期間を登録する（ステップＳ２９）。具体的には、制御部１１は、設定された操作権限及び公開期間を、会議ＩＤと対応付けて会議管理テーブルＴ２に格納する。
以上で、会議設定処理が終了する。
【００６２】
なお、ステップＳ２０〜ステップＳ２２の処理は、参加者ごとに異なるタイミングで行われるものであり、ステップＳ１９の処理より後であればよく、ステップＳ２３〜ステップＳ２９の処理より後でもよい。
また、図７に示す会議設定処理では、会議招待通知に応じて、参加者が参加を申し込むこととしたが、会議に対する参加募集画面を設け、希望者が参加を申し込むようにしてもよい。
【００６３】
＜会議実施処理＞
図１０は、会議システム１００において実行される会議実施処理を示すラダーチャートである。会議実施処理は、会議開催日時に行われる。
【００６４】
まず、開催者が開催者端末２０において、操作部２２からの操作により、Ｗｅｂブラウザー上から会議管理サーバー１０にアクセスすると（ステップＳ３１）、会議管理サーバー１０では、制御部１１が、開催者端末２０に対し、通信部１２を介してログイン画面を表示するための表示用データを送信する（ステップＳ３２）。
【００６５】
開催者端末２０では、表示部２３にログイン画面が表示される。開催者が操作部２２からの操作により、ログイン画面において、ユーザーＩＤとパスワードを入力すると（ステップＳ３３）、制御部２１は、入力されたユーザーＩＤとパスワードを、通信部２４を介して会議管理サーバー１０に送信する。
【００６６】
会議管理サーバー１０では、通信部１２によりユーザーＩＤ及びパスワードを受信すると、制御部１１は、ユーザー認証を行う。開催者のユーザー認証については、会議設定処理（図７参照）のステップＳ１３と同様である。
制御部１１は、入力されたユーザーＩＤが開催者ＩＤである場合に、開催者端末２０に対し、通信部１２を介して開催者用画面を表示するための表示用データを送信する（ステップＳ３４）。
【００６７】
開催者端末２０では、表示部２３に開催者用画面が表示される（図８参照）。開催者が操作部２２からの操作により、開催者用画面において、画面遷移を指示すると（ステップＳ３５）、制御部１１は、開催者端末２０に対し、通信部１２を介して会議画面を表示するための表示用データを送信する（ステップＳ３６）。
【００６８】
具体的には、開催者が図８に示す開催者用画面２３１において、会議画面ボタンＢ１を押下すると、図１１に示す会議画面２３３が表示部２３に表示される。会議画面２３３には、共有画面２３３Ａ、資料画面２３３Ｂ、メモ画面２３３Ｃ、開始／終了ボタンＢ２１、開催者用画面ボタンＢ２２、主導権譲渡ボタンＢ２３、作業画面ボタンＢ２４等が含まれる。
共有画面２３３Ａは、複数の端末装置（開催者端末２０、参加者端末３０）で共通の画面である。共有画面２３３Ａには、メインとなる資料が表示されてもよいし、発表者を撮影した動画像が表示されてもよい。
資料画面２３３Ｂは、資料の内容が表示される画面である。
メモ画面２３３Ｃは、開催者がメモ等を入力するための画面である。
開始／終了ボタンＢ２１は、会議の開始又は終了を指示するためのボタンである。
開催者用画面ボタンＢ２２は、開催者用画面（図８参照）への遷移を指示するためのボタンである。
主導権譲渡ボタンＢ２３は、主導権譲渡を依頼するためのボタンである。
作業画面ボタンＢ２４は、個人作業用画面への遷移を指示するためのボタンである。
【００６９】
開催者端末２０の表示部２３に会議画面が表示されることで、開催者は、参加者の一人となり得る。
【００７０】
一方、参加者が参加者端末３０において、操作部３２からの操作により、Ｗｅｂブラウザー上から会議管理サーバー１０にアクセスすると（ステップＳ３７）、会議管理サーバー１０では、制御部１１が、参加者端末３０に対し、通信部１２を介してログイン画面を表示するための表示用データを送信する（ステップＳ３２）。
【００７１】
参加者端末３０では、表示部３３にログイン画面が表示される。参加者が操作部３２からの操作により、ログイン画面において、ユーザーＩＤとパスワードを入力すると（ステップＳ３８）、制御部３１は、入力されたユーザーＩＤとパスワードを、通信部３４を介して会議管理サーバー１０に送信する。
【００７２】
会議管理サーバー１０では、通信部１２によりユーザーＩＤ及びパスワードを受信すると、制御部１１は、ユーザー認証を行う。具体的には、制御部１１は、記憶部１５の会議管理テーブルＴ２の参加者情報から、参加者端末３０において入力されたユーザーＩＤと一致するレコードを検索し、検索されたレコードに含まれるパスワードと参加者端末３０において入力されたパスワードが一致する場合に、参加者としてのユーザー認証が成功したと判断する。
制御部１１は、入力されたユーザーＩＤが参加者ＩＤである場合に、参加者端末３０に対し、通信部１２を介して会議控え画面を表示するための表示用データを送信する（ステップＳ３９）。
【００７３】
参加者端末３０では、表示部３３に会議控え画面が表示される。
図１２に、表示部３３に表示される会議控え画面３３１の例を示す。会議控え画面３３１には、会議情報表示領域３３１Ａ、参加者リスト表示領域３３１Ｂ、資料リスト表示領域３３１Ｃ、会議画面ボタンＢ３１、作業画面ボタンＢ３２、ダウンロードボタンＢ３３等が含まれる。
会議情報表示領域３３１Ａには、会議名、開催日時、開催者名、公開期間等の情報が表示される。
参加者リスト表示領域３３１Ｂには、会議に対する参加者のリストが表示される。
資料リスト表示領域３３１Ｃには、会議に対して設定された資料のリストが表示される。資料リストにおいて、各資料に対して指定された権限設定（ダウンロード可否）も表示される。
会議画面ボタンＢ３１は、会議画面への遷移を指示するためのボタンである。
作業画面ボタンＢ３２は、個人作業用画面への遷移を指示するためのボタンである。
ダウンロードボタンＢ３３は、資料のダウンロードを指示するためのボタンである。参加者は、ダウンロードが許可されている資料に関しては、ダウンロードボタンＢ３３を押下して、ダウンロードすることができる。一方、ダウンロードが許可されていない資料はＷｅｂ上の画面のみで表示可能となるが、その場合であっても、会議管理サーバー１０が有している機能であるアプリケーションを用いて資料の操作を行うことは可能である（詳細については後述する。）。
【００７４】
参加者が操作部３２からの操作により、会議控え画面において、画面遷移を指示すると（ステップＳ４０）、制御部１１は、参加者端末３０に対し、通信部１２を介して会議画面を表示するための表示用データを送信する（ステップＳ４１）。
【００７５】
具体的には、参加者が図１２に示す会議控え画面３３１において、会議画面ボタンＢ３１を押下すると、図１３に示す会議画面３３２が表示部３３に表示される。会議画面３３２には、共有画面３３２Ａ、資料画面３３２Ｂ、メモ画面３３２Ｃ、主導権譲渡ボタンＢ４１、作業画面ボタンＢ４２等が含まれる。
共有画面３３２Ａは、複数の端末装置（開催者端末２０、参加者端末３０）で共通の画面である。
資料画面３３２Ｂは、資料の内容が表示される画面である。
メモ画面３３２Ｃは、参加者がメモ等を入力するための画面である。
主導権譲渡ボタンＢ４１は、主導権譲渡を依頼するためのボタンである。
作業画面ボタンＢ４２は、個人作業用画面への遷移を指示するためのボタンである。
【００７６】
開催者端末２０において、開催者が操作部２２からの操作により、会議開始を指示すると（ステップＳ４２）、開催者端末２０及び各参加者端末３０で画面共有が開始される（ステップＳ４３）。具体的には、開催者が図１１に示す会議画面２３３において、開始／終了ボタンＢ２１を押下すると、画面共有が開始される。
開催者端末２０及び各参加者端末３０では、共通の共有画面を有する会議画面が表示される（ステップＳ４４）。つまり、開催者端末２０の表示部２３に表示される会議画面２３３（図１１参照）の共有画面２３３Ａと、各参加者端末３０の表示部３３に表示される会議画面３３２（図１３参照）の共有画面３３２Ａは、同一内容となる。会議管理サーバー１０の制御部１１は、共有画面２３３Ａ及び共有画面３３２Ａを表示させるためのワークエリアとして、対象会議の会議作業用領域１４１内の共有作業用領域１４２を用いる。
【００７７】
参加者端末３０において、参加者が操作部３２からの操作により、会議画面において、作業用画面展開を指示すると（ステップＳ４５）、制御部１１は、参加者端末３０に対し、通信部１２を介して個人作業用画面を表示するための表示用データを送信する（ステップＳ４６）。
【００７８】
具体的には、参加者が図１３に示す会議画面３３２において、作業画面ボタンＢ４２を押下すると、図１４に示す個人作業用画面３３３が表示部３３に表示される。会議管理サーバー１０の制御部１１は、個人作業用画面３３３を表示させるためのワークエリアとして、対象会議の会議作業用領域１４１内に参加者ごとに設けられた個人作業用領域１４３を用いる。個人作業用画面３３３には、アプリケーション画面３３３Ａが含まれる。アプリケーション画面３３３Ａには、会議に対して予め設定されているアプリケーションが、当該アプリケーションで使用される医用画像等の医療情報（会議に対して予め設定されている資料）が組み込まれた状態で表示される。なお、制御部１１は、会議管理テーブルＴ２を参照し、対象会議のアプリケーション情報の個人情報表示有無において、個人情報を表示しないことが設定されている場合には、アプリケーション画面３３３Ａにおいて、患者の氏名、生年月日、住所等の個人情報が表示されないように、アプリケーション内で使用する医療情報から個人情報を削除しておく。あるいは、個人情報に該当する箇所を伏せ字で置き換えてもよい。
【００７９】
制御部１１は、参加者が使用する参加者端末３０からの操作指示に応じて、当該参加者端末３０に係る参加者の個人作業用領域１４３を用いて、当該参加者端末３０に対して、予め設定されているアプリケーションを利用した医療情報（登録された資料）の処理結果を提供する。制御部１１は、会議に対して設定されている資料を自動的にアプリケーションの処理対象としてもよいし、会議に対して設定されている資料の中から、参加者が任意に選択した資料をアプリケーションの処理対象としてもよい。参加者は、個人作業用画面３３３（アプリケーション画面３３３Ａ）において、会議に合わせて設定されたアプリケーションを用いて、資料を操作することができる。資料の操作には、医用画像の表示、濃度調整、拡大・縮小等の画像調整、計測、アノテーションの付加等が含まれる。
【００８０】
これらの資料の操作として、オンライン会議等で発表者が実際に行った作業（例えば、Ｘ線画像に対して病変を見やすくするために階調処理を行う作業等）を、会議に参加している参加者も実際に作業することで、より理解を深めることができる。これは、取り扱う資料が医用画像や医療情報等の機密性が高い資料であることから、機密性を保持しつつも、ローカル状態ではなかなか扱いにくい資料を使って、実際の会議における学習効率を向上させるために有効である。
【００８１】
なお、アプリケーションが複数設定されている場合には、設定されているアプリケーションの数だけ、それぞれのアプリケーション画面が表示されることとしてもよいし、タブ等でアプリケーションを切り替え可能としてもよい。
【００８２】
開催者端末２０において、開催者が操作部２２からの操作により、会議終了を指示すると（ステップＳ４７）、開催者端末２０及び各参加者端末３０での画面共有が終了する（ステップＳ４８）。具体的には、開催者が図１１に示す会議画面２３３において、開始／終了ボタンＢ２１を押下すると、画面共有が終了する。
開催者端末２０では、表示部２３に開催者用画面２３１（図８参照）が表示され（ステップＳ４９）、参加者端末３０では、表示部３３に会議控え画面３３１（図１２参照）が表示される（ステップＳ５０）。
以上で、会議実施処理が終了する。
【００８３】
＜主導権変更処理＞
図１５は、会議管理サーバー１０において実行される主導権変更処理を示すフローチャートである。主導権変更処理は、会議開催中（図１０に示す会議実施処理のステップＳ４３〜ステップＳ４７）に行われる処理である。
【００８４】
まず、制御部１１は、いずれかの参加者端末３０から主導権譲渡依頼があったか否かを判断する（ステップＳ５１）。具体的には、制御部１１は、参加者端末３０の表示部３３に表示されている会議画面３３２（図１３参照）において、主導権譲渡ボタンＢ４１が押下されたか否かを判断する。
【００８５】
いずれかの参加者端末３０から主導権譲渡依頼があった場合には（ステップＳ５１；ＹＥＳ）、制御部１１は、主導権保持者に対して、主導権の譲渡依頼を送信する（ステップＳ５２）。主導権保持者とは、共有画面に対する操作権限を有する者であり、例えば、会議の開催者や、発表者等が主導権保持者として定められている。
【００８６】
次に、制御部１１は、主導権保持者から主導権の譲渡が許可されたか否かを判断する（ステップＳ５３）。
主導権保持者から主導権の譲渡が許可された場合には（ステップＳ５３；ＹＥＳ）、制御部１１は、主導権譲渡を依頼した参加者に対し、作業内容を選択させる（ステップＳ５４）。具体的には、制御部１１は、作業内容として、共有画面の操作のみ、又は、作業用画面の共有を選択させるための表示用データを、通信部１２を介して、主導権譲渡を依頼した参加者が使用する参加者端末３０に送信する。
【００８７】
主導権を得たい作業内容が「共有画面の操作のみ」である場合には（ステップＳ５４；共有画面の操作のみ）、制御部１１は、主導権譲渡を依頼した参加者に対し、共有画面の操作を許可する（ステップＳ５５）。主導権譲渡を許可された参加者は、参加者端末３０において、表示部３３に表示されている会議画面３３２（図１３参照）中の共有画面３３２Ａに対する操作権限を有している。
その後、主導権を有する参加者から共有終了の指示がない場合には（ステップＳ５６；ＮＯ）、ステップＳ５６に戻る。
【００８８】
ステップＳ５４において、主導権を得たい作業内容が「作業用画面の共有」である場合には（ステップＳ５４；作業用画面の共有）、制御部１１は、主導権譲渡を依頼した参加者に対応する個人作業用画面をコピーして、コピーされた個人作業用画面を、全参加者が使用する参加者端末３０の共有画面に表示させる（ステップＳ５７）。つまり、制御部１１は、主導権譲渡を依頼した参加者が使用する参加者端末３０に表示されている個人作業用画面を、全参加者が使用する参加者端末３０に共通する共有画面に表示させる。そして、制御部１１は、主導権譲渡を依頼した参加者に対し、共有画面の操作を許可する（ステップＳ５８）。
【００８９】
ステップＳ５８の後、主導権を有する参加者から共有終了の指示があった場合には（ステップＳ５９；ＹＥＳ）、制御部１１は、この参加者に対し、復帰画面を選択させる（ステップＳ６０）。具体的には、制御部１１は、復帰画面として、共有画面、又は、元画面のいずれかを選択させるための表示用データを、通信部１２を介して、主導権を手放した参加者が使用する参加者端末３０に送信する。
【００９０】
復帰画面として、共有画面が選択された場合には（ステップＳ６０；共有画面）、制御部１１は、共有画面をコピーして、主導権を手放した参加者が使用する参加者端末３０の個人作業用画面に表示させる（ステップＳ６１）。
【００９１】
ステップＳ６０において、復帰画面として、元画面が選択された場合には（ステップＳ６０；元画面）、制御部１１は、ステップＳ５７でコピーした状態の個人作業用画面を、主導権を手放した参加者が使用する参加者端末３０の個人作業用画面に表示させる（ステップＳ６２）。
【００９２】
ステップＳ５１において、いずれの参加者端末３０からも主導権譲渡依頼がない場合（ステップＳ５１；ＮＯ）、ステップＳ５３において、主導権保持者から主導権の譲渡が許可されない場合（ステップＳ５３；ＮＯ）、ステップＳ５６において、主導権を有する参加者から共有終了の指示があった場合（ステップＳ５６；ＹＥＳ）、ステップＳ６１の後、又は、ステップＳ６２の後、主導権変更処理が終了する。
【００９３】
＜会議終了後処理（公開期間内）＞
図１６は、会議システム１００において実行される会議終了後処理（公開期間内）を示すラダーチャートである。会議終了後処理は、会議が終了した後に行われる処理である。
【００９４】
まず、参加者が参加者端末３０において、操作部３２からの操作により、Ｗｅｂブラウザー上から会議管理サーバー１０にアクセスすると（ステップＳ７１）、会議管理サーバー１０では、制御部１１が、参加者端末３０に対し、通信部１２を介してログイン画面を表示するための表示用データを送信する（ステップＳ７２）。
【００９５】
参加者端末３０では、表示部３３にログイン画面が表示される。参加者が操作部３２からの操作により、ログイン画面において、ユーザーＩＤとパスワードを入力すると（ステップＳ７３）、制御部３１は、入力されたユーザーＩＤとパスワードを、通信部３４を介して会議管理サーバー１０に送信する。
【００９６】
会議管理サーバー１０では、通信部１２によりユーザーＩＤ及びパスワードを受信すると、制御部１１は、ユーザー認証を行う。参加者のユーザー認証については、会議実施処理（図１０参照）のステップＳ３８と同様である。
【００９７】
制御部１１は、入力されたユーザーＩＤが参加者ＩＤである場合に、現在日時をチェックし（ステップＳ７４）、公開期間内であるか否かを判断する。具体的には、制御部１１は、計時部１３から現在日時を取得し、記憶部１５の会議管理テーブルＴ２を参照して、参加者端末３０から入力された参加者ＩＤに対応する公開期間を読み出し、現在日時が公開期間内であるか否かを判断する。
【００９８】
公開期間内である場合には（ステップＳ７５）、制御部１１は、参加者端末３０に対し、通信部１２を介して会議控え画面を表示するための表示用データを送信する（ステップＳ７６）。
【００９９】
参加者端末３０では、表示部３３に会議控え画面（図１２参照）が表示される。参加者が操作部３２からの操作により、会議控え画面において、ダウンロード可と設定された資料を選択し、選択された資料のダウンロードを指示すると（ステップＳ７７）、選択された資料がダウンロードされる（ステップＳ７８）。具体的には、参加者が図１２に示す会議控え画面３３１において、ダウンロードボタンＢ３３を押下すると、選択された資料が会議管理サーバー１０から取得され、参加者端末３０の記憶部３６に記憶される。なお、ステップＳ７７及びステップＳ７８の処理は、必要に応じて行われればよい。
【０１００】
参加者端末３０において、参加者が操作部３２からの操作により、会議控え画面において、作業用画面展開を指示すると（ステップＳ７９）、制御部１１は、参加者端末３０に対し、通信部１２を介して個人作業用画面を表示するための表示用データを送信する（ステップＳ８０）。
【０１０１】
具体的には、参加者が図１２に示す会議控え画面３３１において、作業画面ボタンＢ３２を押下すると、図１４に示す個人作業用画面３３３が表示部３３に表示される。このように、公開期間内であれば、会議が終了した後であっても、参加者は、会議管理サーバー１０が参加者ごとの個人作業用領域１４３を用いて提供する個人作業用画面３３３において、医療情報を閲覧したり、医用画像を加工したりすることができる。
以上で、会議終了後処理（公開期間内）が終了する。
【０１０２】
＜会議終了後処理（公開期間外）＞
図１７は、会議システム１００において実行される会議終了後処理（公開期間外）を示すラダーチャートである。
ステップＳ８１〜ステップＳ８４の処理は、図１６に示す会議終了後処理（公開期間内）のステップＳ７１〜ステップＳ７４の処理と同様であるため、説明を省略する。
【０１０３】
現在日時をチェックした結果、公開期間外である場合には（ステップＳ８５）、制御部１１は、公開期間外である旨のメッセージを表示するための表示用データを、通信部１２を介して、参加者端末３０に送信する（ステップＳ８６）。
参加者端末３０では、表示部３３に、公開期間外であることが表示される。
その後、参加者端末３０では、ログイン画面に戻り、会議終了後処理（公開期間外）が終了する。
【０１０４】
以上説明したように、本実施の形態によれば、参加者ごとに設けられた個人作業用領域１４３を用いて、各参加者が使用する参加者端末３０に対して、予め設定されているアプリケーションプログラムを利用した医療情報の処理結果を提供するので、参加者端末３０側では、予め医療情報やアプリケーションプログラムのダウンロードが不要となり、参加者端末３０における負荷を軽減させることができる。したがって、参加者が使用する参加者端末３０の環境を変えることなく、参加者端末３０に情報を提供することができる。
【０１０５】
具体的には、参加者は参加者端末３０において、会議管理サーバー１０が提供する資料に対する操作・処理を行うことができる。例えば、参加者は参加者端末３０から医用画像の閲覧、画像調整、計測、アノテーションの付加等を行うことができる。
【０１０６】
また、各参加者に提供される資料は、会議管理サーバー１０上に保存されており、各参加者の操作指示に応じた処理は、会議管理サーバー１０の個人作業用領域１４３を用いて行われる。そのため、参加者が事前にアプリケーションプログラムをインストールしたり、資料をダウンロードしたりする必要がない。各参加者は、会議管理サーバー１０から提供される資料を各々で操作することができ、作業効率が向上する。
【０１０７】
また、個人作業用画面の共有を許可された参加者に対しては、この参加者が使用する参加者端末３０に表示されている個人作業用画面を、複数の端末装置（参加者端末３０、開催者端末２０）に共通する共有画面に表示させることができる。このようにして、個人作業用領域１４３を用いて処理された個人作業用画面を、共有画面にて公開することができる。
【０１０８】
また、個人作業用領域１４３に公開期間を設定することで、公開期間内であれば、会議の終了後であっても、個人作業用領域１４３を用いて、予め設定されているアプリケーションプログラムを利用した医療情報の処理結果を、各参加者端末３０に提供することができる。
【０１０９】
また、会議に対して設定されるアプリケーションごとに、個人情報を表示するか否かを予め設定することができるので、患者の個人情報を含む医用画像についても、情報漏洩に対するセキュリティーを強化することができる。
【０１１０】
なお、上記実施の形態における記述は、本発明に係る情報処理サーバーの例であり、これに限定されるものではない。装置を構成する各部の細部構成及び細部動作に関しても本発明の趣旨を逸脱することのない範囲で適宜変更可能である。
【０１１１】
例えば、上記実施の形態では、参加者端末３０に表示される共有画面３３２Ａ（図１３参照）と個人作業用画面３３３（図１４参照）を別ウィンドウとしたが、共有画面３３２Ａと個人作業用画面３３３を同一ウィンドウ上に表示させることとしてもよい。
また、上記実施の形態では、参加者端末３０に個人作業用画面を表示させる場合を中心に説明したが、開催者を参加者の一人として、開催者端末２０に個人作業用画面を表示させることもできる。
【０１１２】
また、開催者端末２０及び参加者端末３０がマイク、スピーカー等の音声入出力手段を備え、各端末装置において参加者が発した音声を、各端末装置で出力するようにしてもよい。
【０１１３】
各処理を実行するためのプログラムを格納するコンピューター読み取り可能な媒体としては、ＨＤＤや不揮発性の半導体メモリーの他、ＣＤ−ＲＯＭ等の可搬型記録媒体を適用することも可能である。また、プログラムのデータを通信回線を介して提供する媒体として、キャリアウェーブ（搬送波）を適用することとしてもよい。
【符号の説明】
【０１１４】
１０  会議管理サーバー
１１  制御部
１２  通信部
１３  計時部
１４  ＲＡＭ
１５  記憶部
２０  開催者端末
２１  制御部
２２  操作部
２３  表示部
２４  通信部
３０  参加者端末
３１  制御部
３２  操作部
３３  表示部
３４  通信部
１００  会議システム
１４１  会議作業用領域
１４２  共有作業用領域
１４３  個人作業用領域
Ｎ  通信ネットワーク
Ｔ１  開催者管理テーブル
Ｔ２  会議管理テーブル
【図１】
2020009164.tif 000003
【図２】
2020009164.tif 000004
【図３】
2020009164.tif 000005
【図４】
2020009164.tif 000006
【図５】
2020009164.tif 000007
【図６】
2020009164.tif 000008
【図７】
2020009164.tif 000009
【図８】
2020009164.tif 000010
【図９】
2020009164.tif 000011
【図１０】
2020009164.tif 000012
【図１１】
2020009164.tif 000013
【図１２】
2020009164.tif 000014
【図１３】
2020009164.tif 000015
【図１４】
2020009164.tif 000016
【図１５】
2020009164.tif 000017
【図１６】
2020009164.tif 000018
【図１７】
2020009164.tif 000019